(57)【要約】      （修正有）【課題】省電力化を図りつつ、携帯端末の照明対象物の視認性を安定的に確保する。【解決手段】照明装置１０は、携帯端末に設けられ、発光する蓄光部材と、蓄光部材の発光による照度を検出する照度検出手段と、電源から供給される電力を用いて、携帯端末の照明を行う照明手段と、照度検出手段により検出された蓄光部材の照度に基づいて、照明手段の照明を制御する制御手段と、を備えている。制御手段は、照度検出手段により検出された蓄光部材の照度が第１所定値以下であると判断したとき、照明手段をオン状態に制御して照明を開始させるのが好ましい。【選択図】図１
2012119174.tif 000002
【特許請求の範囲】
【請求項１】
携帯端末に設けられ、発光する蓄光部材と、
前記蓄光部材の発光による照度を検出する照度検出手段と、
電源から供給される電力を用いて、前記携帯端末の照明を行う照明手段と、
前記照度検出手段により検出された前記蓄光部材の照度に基づいて、前記照明手段の照明を制御する制御手段と、を備える、ことを特徴とする照明装置。
【請求項２】
請求項１記載の照明装置であって、
前記制御手段は、前記照度検出手段により検出された前記蓄光部材の照度が第１所定値以下であると判断したとき、前記照明手段をオン状態に制御して照明を開始させる、ことを特徴とする照明装置。
【請求項３】
請求項１又は２記載の照明装置であって、
前記蓄光部材は、前記携帯端末のキー操作部に塗布された蓄光塗料である、ことを特徴とする照明装置。
【請求項４】
請求項１乃至３のうちいずれか１項記載の照明装置であって、
前記照明手段は、前記携帯端末のキー操作部の照明を行うバックライトである、ことを特徴とする照明装置。
【請求項５】
請求項１乃至４のうちいずれか１項記載の照明装置であって、
前記携帯端末は、キー操作部が開閉式の携帯電話機である、ことを特徴とする照明装置。
【請求項６】
請求項１乃至５のうちいずれか１項記載の照明装置であって、
前記携帯電話機の周囲の照度を検出する周囲照度検出手段と、
前記携帯電話機の開閉状態を検出する開閉検出手段と、
を更に備え、
前記制御手段は、前記開閉検出手段により前記携帯電話機の開状態が検出され、前記周囲照度検出手段により検出された前記周囲の照度が第２所定値以下であり、かつ、前記照度検出手段により検出された前記蓄光部材の照度が第１所定値以下である、と判断したとき、前記照明手段をオン状態に制御して照明を開始させる、ことを特徴とする照明装置。
【請求項７】
請求項１乃至６のうちいずれか１項記載の照明装置であって、
前記照明手段は、ＬＥＤ（Light Emitting Diode）である、ことを特徴とする照明装置。
【請求項８】
キー操作部に設けられ発光して、前記キー操作部の照明を行う蓄光部材と、
前記蓄光部材の発光による照度を検出する照度検出手段と、
電源から供給される電力を用いて、前記キー操作部の照明を行う照明手段と、
前記照度検出手段により検出された前記蓄光部材の照度に基づいて、前記照明手段の照明を制御する制御手段と、を備える、ことを特徴とする携帯端末。
【請求項９】
携帯端末に設けられ、発光する蓄光部材と、
前記蓄光部材による発光の照度を検出する照度検出手段と、
電源から供給される電力を用いて、前記携帯端末の照明を行う照明手段と、を備える照明装置の制御方法であって、
前記照度検出手段により検出された前記蓄光部材の照度に基づいて、前記照明手段の照明を制御する、ことを特徴とする照明装置の制御方法。
【発明の詳細な説明】
【技術分野】
【０００１】
本発明は、携帯端末に設けられ、発光する蓄光部材と、電源から供給される電力を用いて、携帯端末の照明を行う照明手段と、を備える照明装置、携帯端末、及び制御方法に関するものである。
【背景技術】
【０００２】
例えば、キー操作部の照明を行うためのバックライトを備え、明るい環境下ではバックライトをオフ状態に制御し、暗い環境下ではバックライトをオン状態に制御することで、省電力化を図る携帯端末が知られている。しかしながら、当該携帯端末においては、暗い環境下が継続した場合など、その省電力化に限界が生じている。
【０００３】
そこで、より効率的に省電力化を図るべく、例えば、バックライトによる照明と共に、蓄光塗料などの蓄光部材の発光を用いてキー操作部の照明を行う携帯端末が知られている（例えば、特許文献１参照）。当該携帯端末においては、蓄光部材による発光時間を予測し、予測した発光時間に基づいて、バックライトのオン状態及びオフ状態を制御する。
【先行技術文献】
【特許文献】
【０００４】
【特許文献１】特開２００８−２３６６３０号公報
【発明の概要】
【発明が解決しようとする課題】
【０００５】
しかしながら、上記特許文献１に示す携帯端末においては、蓄光部材による発光時間の予測に誤差が生じた場合に、キー操作部などの照明対象物の視認性が安定的に確保できない虞がある。
【０００６】
本発明は、このような問題点を解決するためになされたものであり、省電力化を図りつつ、携帯端末の照明対象物の視認性を安定的に確保できる照明装置、携帯端末、及び制御方法を提供することを主たる目的とする。
【課題を解決するための手段】
【０００７】
上記目的を達成するための本発明の一態様は、携帯端末に設けられ、発光する蓄光部材と、前記蓄光部材の発光による照度を検出する照度検出手段と、電源から供給される電力を用いて、前記携帯端末の照明を行う照明手段と、前記照度検出手段により検出された前記蓄光部材の照度に基づいて、前記照明手段の照明を制御する制御手段と、を備える、ことを特徴とする照明装置である。
【０００８】
他方、上記目的を達成するための本発明の一態様は、キー操作部に設けられ発光して、前記キー操作部の照明を行う蓄光部材と、前記蓄光部材の発光による照度を検出する照度検出手段と、電源から供給される電力を用いて、前記キー操作部の照明を行う照明手段と、前記照度検出手段により検出された前記蓄光部材の照度に基づいて、前記照明手段の照明を制御する制御手段と、を備える、ことを特徴とする携帯端末であってもよい。
【０００９】
また、上記目的を達成するための本発明の一態様は、携帯端末に設けられ、発光する蓄光部材と、前記蓄光部材による発光の照度を検出する照度検出手段と、電源から供給される電力を用いて、前記携帯端末の照明を行う照明手段と、を備える照明装置の制御方法であって、前記照度検出手段により検出された前記蓄光部材の照度に基づいて、前記照明手段の照明を制御する、ことを特徴とする照明装置の制御方法であってもよい。
【発明の効果】
【００１０】
本発明によれば、省電力化を図りつつ、携帯端末の照明対象物の視認性を安定的に確保できる照明装置、携帯端末、及び制御方法を提供することができる。
【図面の簡単な説明】
【００１１】
【図１】本発明の実施形態１に係る照明装置の概略的な構成を示すブロック図である。
【図２】本発明の実施形態１に係る携帯電話機の概略的な構成を示す図である。
【図３】本発明の実施形態１に係る携帯電話機のキー操作部を拡大した拡大図である。
【図４】図３に示すキー操作部を直線Ａ−Ａ'で切断した際の断面図である。
【図５】本発明の実施形態１に係る照明装置の制御処理フローの一例を示すフローチャートである。
【図６】照度センサから出力される出力電圧と携帯電話機周囲の照度との関係を示す図である。
【図７】蓄光塗料部の照度と経過時間との関係を示す図である。
【図８】本発明の実施形態２に係るキー操作部の概略的な構成を示す図である。
【図９】図８に示すキー操作部を直線Ｂ−Ｂ′で切断した際の断面図である。
【図１０】本発明の実施形態３に係る照明装置の概略的なシステム構成を示すブロック図である。
【図１１】蓄光塗料部の励起時間と発光時間との関係の一例を示す図である。
【図１２】本発明の実施形態３に係る照明装置における蓄光塗料部の発光とキーバックライトの発光の状態推移の一例を示す図である。
【発明を実施するための形態】
【００１２】
実施形態１．
以下、図面を参照して本発明の実施の形態について説明する。図１は、本発明の実施形態１に係る照明装置の概略的な構成を示すブロック図である。本実施形態に係る照明装置１０は、携帯端末１００に設けられたキー操作部１１と、制御部１２と、照度センサ１３と、開閉検出部１４と、蓄光塗料部１５と、導光部１６と、蓄光塗料輝度測定用照度センサ１７と、キーバックライト１８と、バッテリ１９と、を備えている。
【００１３】
携帯端末１００は、例えば、折畳み式（開閉式）の携帯電話機１００であり（図２）、折畳み可能な携帯本体１０１と、音声等が出力されるレシーバ１０２と、液晶や有機ＥＬなどからなる表示部１０３と、音声等が入力されるマイク１０４と、キー操作入力が行われるキー操作部１１と、を備えている。なお、本実施形態１に係る携帯電話機１００は、通常の携帯電話機が有する構成及び機能を有しているが周知であるため、その説明は省略する。
【００１４】
キー操作部１１には、押圧操作が可能な複数の操作キー（数字キー、文字キー、ファンクションキーなど）１１１が設けられている（図３）。
【００１５】
制御部１２は、制御手段の一具体例であり、蓄光塗料輝度測定用照度センサ１７により検出された蓄光塗料部１５の照度と、照度センサ１３により検出された携帯電話機１００周囲の照度と、開閉検出部１４からの携帯電話機１００の開閉情報と、に基づいて、キーバックライト１８の照明を制御する。また、制御部１２は、キーバックライト１８をオン状態及びオフ状態へ切替える制御を行うキー照明切替部１２１を有している。
【００１６】
なお、制御部１２は、例えば、演算処理、制御処理等と行うＣＰＵ（Central Processing Unit）（不図示）と、ＣＰＵによって実行される演算プログラム、制御プログラム等が記憶されたＲＯＭ（Read Only Memory）（不図示）と、処理データ等を一時的に記憶するＲＡＭ（Random Access Memory）（不図示）と、を有するマイクロコンピュータを中心にして、ハードウェア構成されている。また、これらＣＰＵ、ＲＯＭ、及びＲＡＭは、データバス等によって相互に接続されている。
【００１７】
照度センサ１３は、周囲照度検出手段の一具体例であり、例えば、携帯電話機１００の携帯本体１０１に設けられており、フォトダイオードなどから構成されており、携帯電話機１００周囲の照度を検出することができる。照度センサ１３は、制御部１２に接続されており、検出した携帯電話機１００周囲の照度を制御部１２に対して出力する。
【００１８】
開閉検出部１４は、開閉検出手段の一具体例であり、例えば、機械式スイッチや電気接点式スイッチを用いて、携帯電話機１００の開閉情報（開状態及び閉状態）を検出することができる。開閉検出部１４は制御部１２に接続されており、携帯電話機１００が開状態のときに開信号を制御部１２に対して出力し、携帯電話機１００が閉状態のときに閉信号を制御部１２に対して出力する。
【００１９】
蓄光塗料部（図３及び図４の斜線部）１５は、蓄光部材の一具体例であり、周囲光により励起され、一定時間、発光する塗料であり、キー操作部１１の前面に形成されている。図４は、図３に示すキー操作部１１を直線Ａ−Ａ'で切断した際の断面図である。蓄光塗料部１５は、モールド樹脂１０５の前面に塗布され形成されている。また、蓄光塗料部１５は、蓄光塗料輝度測定用照度センサ１７の上方に、導光部１６を介して配置されている。
【００２０】
蓄光塗料部１５は、導光部１６を介して蓄光塗料輝度測定用照度センサ１７に相対しており。蓄光塗料部１５が発光すると、その光は導光部１６を介して蓄光塗料輝度測定用照度センサ１７に直接的に入力される。
【００２１】
蓄光塗料輝度測定用照度センサ１７は、照度検出手段の一具体例であり、蓄光塗料部１５の発光による照度を、導光部１６を介して検出する。このように、蓄光塗料輝度測定用照度センサ１７は、蓄光塗料部１５による照度を、導光部１６を介して直接的に検出することができる。蓄光塗料輝度測定用照度センサ１７は制御部１２に接続されおり、検出した蓄光塗料部１５の照度を制御部１２に対して出力する。
【００２２】
キーバックライト１８は、照明手段の一具体例であり、バッテリ（電源）１９から供給される電力を用いて発光し、キー操作部１１の照明を行う。キーバックライト１８は、バッテリ１９の省電力化を目的として、例えば、ＬＥＤ（Light Emitting Diode）などが用いられている。
【００２３】
キーバックライト１８は、例えば、図４に示すように、モールド樹脂１０５及び操作キー１１１の下方で実装基板１０６上に複数配置されている。例えば、キーバックライト１８からの発光が、導光樹脂からなる操作キー１１１を透過することで、操作キー１１１は発光する。
【００２４】
キーバックライト１８は制御部１２に接続されており、制御部１２からの制御信号に応じて、オン状態となり照明を開始し、あるいは、オフ状態となり照明を停止する。
【００２５】
次に、本実施形態に係る照明装置１０の制御方法について、詳細に説明する。図５は、本実施形態１に係る照明装置の制御処理フローの一例を示すフローチャートである。
【００２６】
まず、制御部１２は、開閉検出部１４から送信される信号（開信号及び閉信号）に基づいて、携帯電話機１００の開閉状態を判断する（ステップＳ１０１）。
【００２７】
制御部１２は、開閉検出部１４から閉信号を受信し、携帯電話機１００が閉状態であると判断すると、キー操作部１１の蓄光塗料部１５に対する励起が無い状態と判断する（ステップＳ１０２）。
【００２８】
一方、制御部１２は、開閉検出部１４から開信号を受信し、開状態であると判断すると、照度センサ１３から送信される携帯電話機１００周囲の照度が第２所定値ａ（出力電圧値ｂ）以上（図６）であるか否かを判断する（ステップＳ１０３）。
【００２９】
制御部１２は、照度センサ１３から送信される携帯電話機１００周囲の照度が第２所定値ａ以上であり、周囲環境が明るいと判断すると（ステップＳ１０３のＹＥＳ）、キー操作部１１の蓄光塗料部１５に対する励起がある状態と判断し（ステップＳ１０４）、後述の（ステップＳ１０７）に移行する。
【００３０】
一方、制御部１２は、照度センサ１３から送信される携帯電話機１００周囲の照度が第２所定値ａよりも小さく、周囲環境が暗いと判断すると（ステップＳ１０３のＮＯ）、蓄光塗料輝度測定用照度センサ１７から送信される蓄光塗料部１５の照度が第１所定値ｃ（経過時間ｄ）以上（図７）であるか否かを判断する（ステップＳ１０５）。なお、上記第１所定値ｃ及び第２所定値ａは、例えば、予め制御部１２のＲＯＭに設定されている。
【００３１】
制御部１２は、蓄光塗料輝度測定用照度センサ１７から送信される蓄光塗料部１５の照度が第１所定値ｃ以上であり、蓄光塗料部１５の発光輝度が高いと判断する場合（ステップＳ１０５のＹＥＳ）、キー操作部１１は蓄光塗料部１５の発光によって照明が行なわれる（ステップＳ１０６）。したがって、制御部１２のキー照明切替部１２１は、キーバックライト１８がオフ状態となるように制御する（ステップＳ１０７）。
【００３２】
一方、制御部１２は、蓄光塗料輝度測定用照度センサ１７から送信される蓄光塗料部１５の照度が第１所定値ｃよりも小さく、蓄光塗料部１５の発光輝度が低いと判断すると（ステップＳ１０５のＮＯ）、キー照明切替部１２１は、キーバックライト１８がオン状態となるように制御する（ステップＳ１０８）。
【００３３】
以上、本実施形態１に係る照明装置１０において、制御部１２は、蓄光塗料輝度測定用照度センサ１７により検出された蓄光塗料部１５の照度が第１所定値以下であると判断したとき、キーバックライト１８をオン状態に制御して照明を開始させる。これにより、携帯電話機１００のバッテリ１９の省電力化を図りつつ、キー操作部１１の視認性を十分に確保できる。
【００３４】
実施形態２．
図８は、本発明の実施形態２に係るキー操作部の概略的な構成を示す図である。また、図９は、図８に示すキー操作部を直線Ｂ−Ｂ′で切断した際の断面図である。
【００３５】
本実施形態２に係るキー操作部２１において、蓄光塗料部（図８及び図９の斜線部）２１は、各操作キー２１１上及び蓄光塗料輝度測定用照度センサ１７の上方に夫々形成されていてもよい。図９に示すように、蓄光塗料輝度測定用照度センサ１７の蓄光塗料部２１の上面には、透明樹脂１０７が積層されており、この蓄光塗料部２１は、透明樹脂１０７を介して励起される。一方、蓄光塗料部２１からの発光は、直接的に下方に配置された蓄光塗料輝度測定用照度センサ１７に入力される。導光樹脂で形成された各操作キー２１１の上部にも、蓄光塗料部２１が夫々形成されている。このように、蓄光塗料部２１をキー操作部２１の任意に配置し、適切に照明を行うことができる。
【００３６】
実施形態３．
図１０は、本発明の実施形態３に係る照明装置の概略的なシステム構成を示すブロック図である。本実施形態３に係る照明装置３０の制御部３１は、上記実施形態１に係る照明装置１０の制御部１２の構成に加えて、発光時間に関するパラメータを記憶するメモリ３２と、蓄光塗料部１５の励起時間を計測するタイマ３３と、を備えている。
【００３７】
メモリ３２は、例えば、ＲＡＭなどにより構成されており、蓄光塗料部１５が励起された励起時間と、その励起時間で発光可能な発光時間と、の関係を示す情報（図１１）を記憶している。
【００３８】
タイマ３３は、照度センサ１３により検出された携帯電話機１００周囲の照度が第２所定値ａ以上となり、周囲環境が明るいと判定される蓄光塗料部１５の励起時間を計測する。そして、タイマ３３は、照度センサ１３により検出された携帯電話機１００周囲の照度が第２所定値ａより小さくなり、周囲環境が暗い（「明るい」→「暗い」）と判定したとき、計測した励起時間と、励起時間及び発光時間の関係を示す情報と、に基づいて、発光時間を算出する。
【００３９】
図１２は、本実施形態３に係る照明装置における蓄光塗料部の発光とキーバックライトの発光の状態推移の一例を示す図である。
【００４０】
まず、制御部３１は、開閉検出部１４からの閉信号に基づいて携帯電話機１００が閉状態であると判定し、照度センサ１３から携帯電話機１００周囲の照度が第２所定値ａより小さく暗いと判定している。次に、制御部３１は、開閉検出部１４からの開信号に基づいて携帯電話機１００が開状態であると判定し、照度センサ１３から携帯電話機１００周囲の照度が第２所定値ａ以上で明るいと判定すると、蓄光塗料部１５の励起が開始されると共に、タイマ３３はその励起時間の計測を開始する（ステップＳ２０１）。
【００４１】
その後、制御部３１は、開閉検出部１４からの閉信号に基づいて携帯電話機１００が閉状態であると判定し、照度センサ１３から携帯電話機１００周囲の照度が第２所定値ａより小さく暗い（「明るい」→「暗い」）と判定すると、タイマ３３は上記計測した励起時間ｅと、励起時間と発光時間との関係（図１１）と、に基づいて、発光時間ｆを算出し、現時点から実際の発光時間の計測を開始する（ステップＳ２０２）。
【００４２】
さらに、制御部３１は、開閉検出部１４からの開信号に基づいて携帯電話機１００が開状態であると判定し、照度センサ１３から携帯電話機１００周囲の照度が第２所定値ａより小さく暗いと判定し、かつ、タイマ３３により計測された実際の発光時間が発光時間ｆを超過していない場合、キー操作部１１は蓄光塗料部１５の発光によって照明される（ステップＳ２０３）。
【００４３】
その後、制御部３１は、開閉検出部１４からの開信号に基づいて携帯電話機１００が開状態である判定し、照度センサ１３から携帯電話機１００周囲の照度が第２所定値ａより小さく暗いと判定し、かつ、タイマ３３により計測された実際の発光時間が発光時間ｆを超過したと判定したとき、キーバックライト１８をオン状態に制御する（ステップＳ２０４）。
【００４４】
なお、本発明は上記実施の形態に限られたものではなく、趣旨を逸脱しない範囲で適宜変更することが可能である。
例えば、上記実施形態において、携帯端末１００は、折畳み式の携帯電話機１００が適用されているが、例えば、スライド式の携帯電話機にも適用可能であり、キー操作部１１を開閉状態にする任意の携帯電話機に適用可能である。また、携帯電話機に限らず、任意の携帯端末に適用可能である。
【００４５】
また、上述の実施の形態では、本発明をハードウェアの構成として説明したが、本発明は、これに限定されるものではない。本発明は、例えば、制御部１２の処理を、ＣＰＵにコンピュータプログラムを実行させることにより実現することも可能である。
【００４６】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００４７】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４８】
さらに、上記実施の形態の一部又は全部は、以下の付記のようにも記載されうるが、以下には限られない。
【００４９】
（付記１）
携帯端末に設けられ、発光する蓄光部材と、前記蓄光部材の発光による照度を検出する照度検出手段と、電源から供給される電力を用いて、前記携帯端末の照明を行う照明手段と、前記照度検出手段により検出された前記蓄光部材の照度に基づいて、前記照明手段の照明を制御する制御手段と、を備える、ことを特徴とする照明装置。
（付記２）
（付記１）の照明装置であって、前記制御手段は、前記照度検出手段により検出された前記蓄光部材の照度が第１所定値以下であると判断したとき、前記照明手段をオン状態に制御して照明を開始させる、ことを特徴とする照明装置。
（付記３）
（付記１）又は（付記２）の照明装置であって、前記蓄光部材は、前記携帯端末のキー操作部に塗布された蓄光塗料である、ことを特徴とする照明装置。
（付記４）
（付記１）乃至（付記３）のうちいずれかの照明装置であって、前記照明手段は、前記携帯端末のキー操作部の照明を行うバックライトである、ことを特徴とする照明装置。
（付記５）
（付記１）乃至（付記４）のうちいずれかの照明装置であって、前記携帯端末は、キー操作部が開閉式の携帯電話機である、ことを特徴とする照明装置。
（付記６）
（付記１）乃至（付記５）のうちいずれかの照明装置であって、前記携帯電話機の周囲の照度を検出する周囲照度検出手段と、前記携帯電話機の開閉状態を検出する開閉検出手段と、を更に備え、前記制御手段は、前記開閉検出手段により前記携帯電話機の開状態が検出され、前記周囲照度検出手段により検出された前記周囲の照度が第２所定値以下であり、かつ、前記照度検出手段により検出された前記蓄光部材の照度が第１所定値以下である、と判断したとき、前記照明手段をオン状態に制御して照明を開始させる、ことを特徴とする照明装置。
（付記７）
（付記１）乃至（付記６）のうちいずれかの照明装置であって、前記照明手段は、ＬＥＤ（Light Emitting Diode）である、ことを特徴とする照明装置。
（付記８）
キー操作部に設けられ発光して、前記キー操作部の照明を行う蓄光部材と、前記蓄光部材の発光による照度を検出する照度検出手段と、電源から供給される電力を用いて、前記キー操作部の照明を行う照明手段と、前記照度検出手段により検出された前記蓄光部材の照度に基づいて、前記照明手段の照明を制御する制御手段と、を備える、ことを特徴とする携帯端末。
（付記９）
携帯端末に設けられ、発光する蓄光部材と、前記蓄光部材による発光の照度を検出する照度検出手段と、電源から供給される電力を用いて、前記携帯端末の照明を行う照明手段と、を備える照明装置の制御方法であって、前記照度検出手段により検出された前記蓄光部材の照度に基づいて、前記照明手段の照明を制御する、ことを特徴とする照明装置の制御方法。
【符号の説明】
【００５０】
１０、３０    照明装置
１１    キー操作部
１２    制御部
１３    照度センサ
１４    開閉検出部
１５    蓄光塗料部
１６    導光部
１７    蓄光塗料輝度測定用照度センサ
１８    キーバックライト
１００    携帯電話機
１２１    キー照明切替部
【図１】
2012119174.tif 000003
【図２】
2012119174.tif 000004
【図３】
2012119174.tif 000005
【図４】
2012119174.tif 000006
【図５】
2012119174.tif 000007
【図６】
2012119174.tif 000008
【図７】
2012119174.tif 000009
【図８】
2012119174.tif 000010
【図９】
2012119174.tif 000011
【図１０】
2012119174.tif 000012
【図１１】
2012119174.tif 000013
【図１２】
2012119174.tif 000014